【事件の表示】
　平成　６年特許願第　８７７１６号「Ｘ線撮影装置」拒絶査定不服審判事件〔平成　７年１０月１７日出願公開、特開平　７−２６５２９０〕について、次のとおり審決する。
【結　論】
　本件審判の請求は、成り立たない。
【理　由】
１．手続の経緯・本願発明
　本願は、平成６年３月３１日の出願であって、平成１４年５月７日付けの手続補正によって補正された明細書及び図面の記載からみて、その請求項１に係る発明は、特許請求の範囲の請求項１に記載された次のものである。（以下、「本願発明」という）
　「【請求項１】Ｘ線を照射する手段と、Ｘ線画像を表わすデジタル画像データを得る手段と、上記のＸ線を一部遮蔽する手段と、該遮蔽手段から得られる、遮蔽されない有効画像領域を表わす座標情報に応じて上記デジタル画像データの一部のみを、その座標情報とともに記録する記録手段と、該記録手段から読み出された座標情報に応じて表示エリアを定め、その表示エリアに、上記の記録手段から読み出された画像データによる画像表示を行なう表示手段とを有することを特徴とするＸ線撮影装置。」
　
２．引用刊行物
　これに対して原査定の拒絶理由で示された刊行物である特開平４−２１２７８号公報（以下、「刊行物１」という）には、
　ア）「（１）被検体の撮影対象部位に応じた分割フォーマットで分割撮影を行い、前記撮影対象部位についてディジタル化された透過像を得るＸ線ディジタルスポットショット装置において、複数の前記透過像情報を記憶し得る所定矩形記憶領域を備えた画像メモリと、前記分割撮影を行って得られた透過像情報を、この分割撮影を行ったときの分割フォーマットに対応して前記所定矩形記憶領域の部分に記憶させる制御手段とを有することを特徴とするＸ線ディジタルスポットショット装置。」（第１頁左下欄５−１４行）、
　
　イ）「ここで「分割撮影」とは、第４図に示すようにＩ．Ｉ．の入射蛍光面１に外接する矩形領域２において４分割、縦２分割、縦３分割、縦４分割、横２分割等の各種分割フォーマットで分割された領域３にＸ線を照射して行う撮影をいう。」（第２頁左上欄８−１２行）、
　
　ウ）「例えば入射蛍光面１の直径が９インチのＩ．Ｉ．（「９インチＩ．Ｉ．］と称せられている。）を用いて４分割撮影を行う場合は、第４図に示すように、入射蛍光面１の中心Ｘ０にＸ線照射中心が一致するようにＸ線管とＩ．Ｉ．の相対位置制御を行うと共に、入射蛍光面１の中心Ｘ０を中心とする４．５インチ角の領域３にＸ線が照射されるように、Ｘ線焦点と入射蛍光面１との距離（以下「ＳＩＤ」ともいう）に応じてＸ線絞りの開度を制御して分割撮影を行う。」（第２頁左上欄１７行−同頁右上欄６行）、
　
　エ）「しかしながら、第５図に示すようにＡ／Ｄ変換後のデータＤは、食道の撮像情報が含まれている有効データＤ４と、食道の撮像情報が含まれていない無効データＤ５を含む全領域のデータＤとなっているため、無効データＤ５も含めてファイル装置７にファイリングされたいた。このため、ファイリング効率が悪く、大容量のファイル装置が必要となっていた。」（第２頁左下欄２−９行）、
　
　オ）「本装置１０は、被検者Ｐの撮影対象部位に応じて分割フォーマットで分割撮影を行いアナログ信号としての透過像情報を出力する撮影系と、この撮影系２０からのアナログ信号をディジタル化すると共に、このディジタル化した透過像情報に所定の処理を施して画像表示、記憶等を行う画像処理系３０とから構成されている。」（第３頁左上欄１８行−同頁右上欄４行）、
　
　カ）「前記撮影系２０は、……、撮影対象部位に最も適したＸ線照射視野に合致した所定の分割フォーマット例えば縦３分割、４分割等を選択する選択釦（図示省略）……を備えた操作部２１と、Ｘ線を発生するＸ線管２２と、Ｘ線の絞り動作を行うＸ線絞り部２３と、被検者Ｐを透過したＸ線を検出するＩ．Ｉ．２４と、Ｉ．Ｉ．２４の出力蛍光面の撮像を行いビデオ信号Ｓ１を出力するＴＶカメラ２５と、Ｘ線管２２のＸ線焦点２２ａとＩ．Ｉ．２４の入射蛍光面との距離ＳＩＤを検出するＳＩＤ検出器２６と、操作部２１で選択された分割情報（分割信号Ｓ０）及びＳＩＤ検出器２６が検出したＳＩＤ情報（信号Ｓ２）に基いてＸ線管への印加電圧Ｖ１及びＸ線絞り部２３の開度を制御するＸ線制御部２６とを有している。このＸ線制御部２６は、操作部２１で選択された分割フォーマットに応じてＩ，Ｉ．２４の入射蛍光面２４ａに入射されるＸ線照射視野が一定となるようにＸ線絞り部２３の開度を正確に制御する開度信号Ｓ３をＸ線絞り部２３に出力するものである。」（第３頁右上欄５行−同頁左下欄５行）、
　
　キ）「前記画像処理系３０は、撮影系２０のＸ線制御部２６から送出される分割信号Ｓｏ、Ｘ線曝射信号Ｓ４及び撮影準備信号Ｓ５を取込むための入出力インターフェイス３１と、撮影系２０のＴＶカメラから送出されるビデオ信号Ｓ１をディジタル信号に変換するＡ／Ｄ変換器３２と、このＡ／Ｄ変換器３２により変換されたディジタルデータの内、撮影対象部位を含む有効データのみを抽出する抽出部３３と、例えば１０２４×１０２４マトリックスの所定矩形記憶領域（「フレーム」ともいう。）を複数記憶し得る記憶容量を備えた画像メモリ３４と、多数の前記所定矩形記憶領域を記憶し得る大容量の記憶領域を備えたファイル装置３５と、ＣＲＴディスプレイ等を備えた表示装置３６と、画像メモリ３４，ファイル装置３５及び表示装置３６に対するデータ入出力を行う表示インターフェイス３７と、この画像処理系３０各部の制御を司る制御手段としてのＣＰＵ３８とを有している。」（第３頁左下欄６行−同頁右下欄６行）、
　
　ク）「前記抽出部３３は、画像処理系３０の制御を司るＣＰＵ３８から分割フォーマット及び撮影コマの順番号丸数字１乃至丸数字４に応じた有効データの位置情報、データ長、画像メモリ３４のフレーム３４ａ上の格納アドレスを受取り、Ａ／Ｄ変換器３２から送られてくる画像データの中から有効データを抽出し、指定された画像メモリ３４のフレーム３４ａ上のアドレスへデータを転送する機能を有する。」（第３頁右下欄１５行−第４頁左上欄３行）、
　
　ケ）「また、表示インターフェイス３７は、第２図に示すように、分割コマ丸数字１乃至丸数字４（本例では４つ）についてすべてのデータが画像メモリ３４の最初のフレーム３４ａ上に編集されたとき、ＣＰＵ３８のコマンドにより、自ら画像メモリ３４の最初のフレーム３４ａに記憶された画像データを読み取り表示装置３６のＣＲＴディスプレイに表示させ、ファイル装置３５にファイルするものである。」（第４頁左上欄４行−同頁同欄１１行）、
　
　コ）「医師または技師が、被検者の撮影部位について十分検討された分割フォーマット及びＸ線条件が操作部２１で設定すると、撮影系２０のＸ線制御部２６は、分割信号Ｓ０及び撮影準備完了信号を画像処理系３０の入出力インターフェイス３１の出力する。画像処理系３０のＣＰＵ３８は、上記撮影準備完了信号Ｓ５が入出力インターフェイス３１の入力されると（ＳＴ１）、入出力インターフェイス３１に入力された分割信号Ｓ０を受取り（ＳＴ２）、分割フォーマットに応じた有効データの位置情報、例えば、第２図に示すように１０２４×１０２４の１つのフレーム３４ａの記憶領域について、分割フォーマットが４分割であれば、点Ａを原点とする点Ｂの座標（ｘ、ｙ）＝（５１２，５１２）を計算すると共に、画像データ長ｌ（第２図の例ではｌ＝５１２）を計算し、更に格納すべき画像メモリ３４におけるフレーム３４ａのアドレスを計算する。例えば、第２図の例で、フレーム３４ａにおいてａ点が（ｎ，ｍ）というアドレスであれば、ｂ点は（ｎ、ｍ＋５１２）、Ｃ点は（ｎ＋５１２，ｍ）、ｄ点は（ｎ＋５１２，ｍ＋５１２）となり、各分割コマ丸数字１乃至丸数字４毎にアドレスを計算する（ＳＴ３）。」（第４頁左上欄１７行−同頁右上欄１９行）、
　
　サ）「以上の様に計算した位置情報、データ長、イメージメモリアドレスを抽出部３３にセットして実際の撮影を待つ（ＳＴ４）」（第４頁右上欄２０行−同頁左下欄２行）、
　
　シ）「実際にＸ線が曝射されると、……抽出部３３はＴＶカメラ２５から送られてくるビデオ信号Ｓ１がＡ／Ｄ変換されディジタルデータとして送られてくるので、既にセットされているパラメータを基に、有効データの抽出及び画像メモリ３４へのデータ転送を行う（ＳＴ６）。」（第４頁左下欄４行−同頁同欄１２行）、
　
　ス）「上記動作が終了するとＣＰＵ３８は全ての分割コマ丸数字１乃至丸数字４について撮影終了したかどうかを判断し（ＳＴ７）、終了していなければ次の順番号丸数字２，丸数字３又は丸数字４の分割コマに応じたパラメータを計算し、抽出部３３にセットし、全ての分割コマ丸数字１乃至丸数字４について撮影が終了するまで繰り返す。」（第４頁左下欄１２行−同頁同欄１８行）、　
　
　セ）「全ての分割コマ丸数字１乃至丸数字４について撮影が終了するとＣＰＵ３８は編集画像のアドレス、第２図の例であればａ（ｎ，ｍ）を表示インターフェイス３１、ファイル装置３５に与える。表示インターフェイス３１，ファイル装置３５は自ら画像メモリにアクセスし、ＤＭＡ（Direct Memory Acess）にてデータを表示及びファイルする。」（第４頁左下欄１８行−同頁右下欄５行）、
　が記載されている。
　
３．刊行物１記載の発明
　刊行物１において、
　カ）に、「Ｘ線を発生するＸ線管２２」が記載され、
　ア）に、「撮影対象部位についてディジタル化された透過像を得るＸ線ディジタルスポットショット装置」であることが記載され、
　カ）に記載のＸ線絞り部２３は、その開度を制御することで、Ｘ線管２２からのＸ線を一部遮蔽する手段であることが明らかであり、
　コ）に、「分割フォーマットに応じた有効データの位置情報、例えば、第２図に示すように１０２４×１０２４の１つのフレーム３４ａの記憶領域について、分割フォーマットが４分割であれば、点Ａを原点とする点Ｂの座標（ｘ、ｙ）＝（５１２，５１２）を計算すると共に、画像データ長ｌ（第２図の例ではｌ＝５１２）を計算」することが記載され、前記位置情報、画像データ長ｌは、遮蔽されない有効画像領域を表す座標情報であるということができ、
　サ）、シ）には、抽出部３３は、セットしたパラメータ（つまり、位置情報とデータ長という「遮蔽されない有効画像領域を表す座標情報」）に応じて、ディジタル画像情報の一部のみを抽出してから、記録手段である画像メモリ３４へ記録することが記載されており、
　ケ）には、「表示インターフェイス３７は、第２図に示すように、分割コマ丸数字１乃至丸数字４（本例では４つ）についてすべてのデータが画像メモリ３４の最初のフレーム３４ａ上に編集されたとき、ＣＰＵ３８のコマンドにより、自ら画像メモリ３４の最初のフレーム３４ａに記憶された画像データを読み取り表示装置３６のＣＲＴディスプレイに表示させ」ることが記載されている。
　そして、
　Ｘ線絞り部２３の開度は、分割フォーマットを選択する選択釦の指令に基いて決められるものであり、開度が決められると、遮蔽されない有効画像領域が決まることが明らかであり、
　この分割フォーマットを選択する選択釦での指令に基いて、遮蔽されない有効画像領域の座標情報（位置情報、画像データ長）が決まるものであることも、明らかであり、［コ）の「……ＣＰＵ３８は、……分割信号Ｓ０を受取り（ＳＴ２）、分割フォーマットに応じた有効データの位置情報、……を計算すると共に、画像データ長ｌ（第２図の例ではｌ＝５１２）を計算し……」という記載、サ）の「以上の様に計算した位置情報、データ長、イメージメモリアドレスを抽出部３３にセット……」という記載を参照］、
　そして、ＣＰＵ３８が、格納すべき画像メモリ３４におけるフレーム３４ａのアドレスを計算するものであり、抽出部３３により、各分割画像について、画像の座標情報に応じて、画像を構成する各点のアドレスが与えられ、アドレスが２次元アドレスであることも明らかである。［カ）に「……例えば、第２図の例で、フレーム３４ａにおいてａ点が（ｎ，ｍ）というアドレスであれば、ｂ点は（ｎ、ｍ＋５１２）、Ｃ点は（ｎ＋５１２，ｍ）、ｄ点は（ｎ＋５１２，ｍ＋５１２）となり、各分割コマ丸数字１乃至丸数字４毎にアドレスを計算する（ＳＴ３）。」と記載され、サ）に、抽出部に前記計算したイメージアドレスをセットすることが記載されている点を参照］
　
　したがって、これらを整理すると、刊行物１には、
　Ｘ線を照射する手段と、Ｘ線画像を表わすデジタル画像データを得る手段と、上記のＸ線を一部遮蔽する手段と、遮蔽されない有効画像領域を表わす座標情報（位置情報、画像データ長）に応じて上記デジタル画像データの一部のみを、記録する記録手段と、記録手段から読み出された画像データによる画像表示を行なう表示手段とを有することを特徴とするＸ線撮影装置であって、
　分割フォーマットを選択する選択釦の指令に基いて、遮蔽する手段（Ｘ線絞り部２３）の開度が決定され、これにより遮蔽されない有効画像領域が決定されるようになっており、
　該選択釦の前記指令に基いて、遮蔽されない有効画像領域を表す座標情報（位置情報、画像データ長）が得られるようにされており、
　各分割画像毎に、分割画像内の各点に２次元アドレスが与えられて記録がされる画像メモリを具備してなる装置、
　の発明が記載されている。
　
４．対比・検討
　本願発明と刊行物１記載の発明を対比すると、両者は、
　Ｘ線を照射する手段と、Ｘ線画像を表わすデジタル画像データを得る手段と、上記のＸ線を一部遮蔽する手段と、遮蔽されない有効画像領域を表わす座標情報に応じて上記デジタル画像データの一部のみを、記録する記録手段と、上記の記録手段から読み出された画像データによる画像表示を行なう表示手段とを有することを特徴とするＸ線撮影装置、
　である点で一致し、次の点で相違する。
　相違点１
　本願発明は、座標情報は、遮蔽手段から得られるものであるのに、刊行物１記載の発明は、座標情報は、分割フォーマットを選択する選択釦の指令により得られるものである点。
　
　相違点２
　本願発明は、遮蔽されない有効画像領域を表わす座標情報に応じて上記デジタル画像データの一部のみを、その座標情報とともに記録する記録手段を有するものであるのに、刊行物１記載の発明は、遮蔽されない有効画像領域を表わす座標情報に応じて上記デジタル画像データの一部のみを、記録する記録手段が記載されているものの、「その座標情報とともに記録する」という記載がない点。
　
　相違点３
　本願発明は、該記録手段から読み出された座標情報に応じて表示エリアを定め、その表示エリアに、画像表示を行なうのに対し、刊行物１記載の発明はそれについて記載がない点。　
　
　前記相違点について検討すると、
　相違点１について、
　刊行物１記載の発明において、選択釦の指令に基づいて、遮蔽されない有効画像領域を表わす座標情報が直接に得られるようにすることに換えて、選択釦の指令に基づいて開度が決せられた遮蔽手段により、遮蔽されない有効画像領域を表わす座標情報が得られるようにすること、つまり、開度が決せられた遮蔽手段を介して、遮蔽されない有効画像領域を表す座標情報が得られるようにすることは、当業者が容易に想到できたものである。
　
　相違点２について、
　前記したように刊行物１記載の発明での抽出部３３にセットされる、位置情報及びデータ長は、「遮蔽されない有効領域を表す座標情報」に該当するが、以下に述べるとおり、「遮蔽されない有効領域を表す座標情報」の形態はそれにとどまらない。
　刊行物１記載の発明の抽出部３３は、各分割画像毎に、分割画像内の各点に２次元アドレスを与えて、該次元２アドレスにしたがって、各分割画像を画像メモリに記録するためのものであり、この与えられた２次元アドレスも「遮蔽されない有効画像領域を表わす座標情報」である。
　したがって、刊行物１には、「その座標情報とともに記録する」という記載はないが、前記したように、２次元アドレスを与えて、画像データを記録すると言う仕方は、「その座標情報とともに記録する」ことに外ならないから、相違点２は、実質上の相違点とは認められない。
　
　相違点３について
　刊行物１記載の発明において、分割画像のうちで、丸数字１のコマの画像を読み出して表示するには、例えば、２次元アドレスで、ａ点（ｎ、ｍ）から、ｄ点（ｎ＋５１２，ｍ＋５１２）を指定して、その画像情報を読み出して表示するということであり、表示エリアを、前記指定の２次元アドレス（つまり、「遮蔽されない有効画像領域を表わす座標情報」である）に応じて定めることは、当業者が容易に想到できたものであり、また、その際、その表示エリアに画像表示を行うことは、普通のことである。
　
　なおもし、相違点２における、「その座標情報とともに記録する」が、本願明細書段落００１４で記載の、「ファイル管理情報（たとえばファイル・ヘッダー）として各画像データごとに別に保管する。」の意味であり、相違点３における「記録手段から読み出された座標情報に応じて表示エリアを定め」が、該ファイル・ヘッダーとして記録（保管）した「遮蔽されない有効画像領域を表わす座標情報」に応じて表示エリアを定める、という意味であったとしても、ディジタル画像のメモリへの記録・メモリからの読出・表示の技術分野において、１枚の画像毎に、画像の種類、画像サイズ等の付加情報を画像データとともに記録し、画像サイズ等の付加情報に応じて表示エリアを定め、画像表示を行うことは、従来周知である［例：特開平５−３２５５００号公報の明細書に「【０００２】【従来の技術】……、各記録毎に、ヘッダー領域に属性情報と関連情報を、データ領域に画像データを一つのファイルとして記録される。また、再生時には、各画像領域毎にヘッダーから属性情報と関連情報を読み出し、データ領域から画像データを読み出して、順次再生している。」、「【００１２】……。層（Ｌａｙｅｒ）１の属性情報領域のレベル１には、デバイスの種類、速度（アクセス速度）、容量等を示す情報が記述されている。属性情報領域のレベル２には、最初のデータのアドレス、ブロック長、初期化の日時、メーカー個別情報等が記述されている。……」と記載がある点、及び、特開平３−２８８２６８号公報の記載を参照］から、刊行物１記載の発明において、ファイルヘッダーを設けて、位置情報及びデータ長を画像データを遮蔽されない有効画像領域を表す座標情報として記録し、該座標情報に応じて、表示エリアを定めることは、当業者が容易に想到できたものである。
　
　そして、相違点１−３を総合的に判断しても、本願発明は、刊行物１記載の発明及び従来周知技術に基づいて当業者が容易に発明できたものであり、その効果も当業者の予想範囲内のものである。
　
５．むすび
　したがって、本願請求項１に係る発明は、刊行物１記載の発明および従来周知技術に基づいて当業者が容易に発明をすることができたものであるので、特許法第２９条第２項の規定により特許を受けることができない。
　よって結論のとおり審決する。